(57)【要約】【課題】  板状表示板において表示可能な情報量を多くすることが可能な計器表示装置を提供すると共に、庇部を設けることなくフロントガラス等に表示内容が映り込むことを防止することが可能な計器表示装置を提供すること。【解決手段】車両情報が表示される板状表示部７を備えた計器表示装置１に対して、板状表示部７の前面に他の板状表示部８を配設設置し、さらに、前方に設置した板状表示部８の設置角度を直立状態又は水平状態に変更することが可能な設置角度変更手段３２、３３を設けた。【選択図】  図３
2005164343.tif 000002
【特許請求の範囲】
【請求項１】
車両情報が表示される板状表示部を備えた計器表示装置において、
前記板状表示部の前面に他の板状表示部を配設設置し、
前方に設置した前記板状表示部の設置角度を直立状態又は水平状態に変更することが可能な設置角度変更手段を設けたことを特徴とする計器表示装置。
【請求項２】
車両情報が表示される板状表示部を備えた計器表示装置において、
前記板状表示部を複数枚配設設置し、
複数の前記板状表示部のうちいずれか一の板状表示部の設置角度を直立状態となるように変更し、他の板状表示部の設置角度を水平状態となるように変更することが可能な設置角度変更手段を設けたことを特徴とする計器表示装置。
【請求項３】
前記板状表示部は、上下方向に複数配設される横長短冊状の文字板片を有し、
前記設置角度変更手段は、前記文字板片の延設横方向を回転軸方向として前記文字板片をそれぞれ回転させることによって、前記板状表示部の設置角度変更を行うことを特徴とする請求項１又は請求項２に記載の計器表示装置。
【発明の詳細な説明】
【技術分野】
【０００１】
本発明は、車両の走行変化を示すメータ針用目盛等の車両情報が表示される板状表示部を備えた計器表示装置に関する。
【背景技術】
【０００２】
従来の車両用の計器表示装置は、スピードメータ等の目盛（スケール）が刻まれた板状の文字板（板状表示部、表示板）と、この文字板の前面側に設置されて回転駆動されるメータ針とを備えている（例えば、特許文献１、特許文献２参照。）。このような計器表示装置の文字板には、一般的に速度目盛、タコメータの回転数目盛、燃料の残量目盛、水温目盛等が示されている。
【特許文献１】特開平９−６８４４２号公報
【特許文献２】特開平８−１２８８６３号公報
【発明の開示】
【発明が解決しようとする課題】
【０００３】
しかしながら、文字板は単一の板状体で構成されているので、計器表示装置において表示可能な情報量には限界があった。
【０００４】
また、計器表示装置は、運転者が視認しやすいように、運転席前面のインストゥルメントパネル上部に設置されることが多いが、インストゥルメントパネル上部に計器表示装置を設置すると表示内容がフロントウィンドガラス等に映り込みやすくなるので、夜間走行時等に映り込んだ表示内容が運転者の視界に入り込んでしまう場合がある。このような映り込みを避けるために、計器表示装置上部に庇部を設けて映り込みを防止する方法が用いられるが、この庇部は計器表示装置のデザイン上の制約となるので、庇部を用いない映り込み防止方法が要望されていた。
【０００５】
本発明は、上記問題に鑑みてなされたものであり、板状表示板において表示可能な情報量を多くすることが可能な計器表示装置を提供すると共に、庇部を設けることなくフロントウィンドガラス等に表示内容が映り込むことを防止することが可能な計器表示装置を提供することを課題とする。
【課題を解決するための手段】
【０００６】
上記課題を解決するために、請求項１に記載の発明は、車両情報が表示される板状表示部を備えた計器表示装置において、前記板状表示部の前面に他の板状表示部を配設設置し、前方に設置した前記板状表示部の設置角度を直立状態又は水平状態に変更することが可能な設置角度変更手段を設けた計器表示装置であることを特徴とする。
【０００７】
請求項２に係る発明は、車両情報が表示される板状表示部を備えた計器表示装置において、前記板状表示部を複数枚配設設置し、複数の前記板状表示部のうちいずれか一の板状表示部の設置角度を直立状態となるように変更し、他の板状表示部の設置角度を水平状態となるように変更することが可能な設置角度変更手段を設けた計器表示装置であることを特徴とする。
【０００８】
請求項３に係る発明は、請求項１又は請求項２に記載の計器表示装置において、前記板状表示部は、上下方向に複数配設される横長短冊状の文字板片を有し、前記設置角度変更手段は、前記文字板片の延設横方向を回転軸方向として前記文字板片をそれぞれ回転させることによって、前記板状表示部の設置角度変更を行うことを特徴とする。
【発明の効果】
【０００９】
請求項１に記載の発明によれば、前後に配設設置された２枚の板状表示部のうち、前方に配置された板状表示部の設置角度を直立状態又は水平状態に変更することが可能であるため、直立状態の場合には、前方に設置した板状表示部の車両情報を運転者に視認可能に表示させることができ、水平状態の場合には、前方に設置した板状表示部の表示面が運転者から見え難くなるので、後方に設置される板状表示部の車両情報を運転者に視認可能に表示させることが可能となる。このように２枚の板状表示部を用いることによって、単一の板状体からなる通常の板状表示部に較べて倍の情報量を計器表示装置に表示させることが可能となる。
【００１０】
特に請求項２に係る発明のように、複数の板状表示部を配設設置して、いずれか一の板状表示部の設置角度を直立状態とし、他の板状表示部の設置角度を水平状態とすることによって複数倍の情報量を計器表示装置に表示させることが可能となる。
【００１１】
また、請求項３に係る発明によれば、上下方向に複数配設される横長短冊状の文字板片をそれぞれ回転させることによって板状表示部の設置角度の変更を行うことができるので、前方の板状表示部の設置角度が水平状態となった場合には、運転席から前方の板状表示部がさらに見え難くなる。さらに、板状表示部の後方に照明光源を設置し、板状表示部に照明光を透過させて板状表示部上の車両情報を表示させる場合には、前側の板状表示部の文字板片によってフロントウィンドガラスへの表示内容の写り込みを防止することができるので、インストゥルメントパネル上部に庇部を設ける必要がなくなり、インテリアデザイン上の自由度を高めることが可能となる。
【発明を実施するための最良の形態】
【００１２】
以下、本発明に係る計器表示装置に関して図面を用いて説明する。
【００１３】
図１は、計器表示装置１を示した展開斜視図である。計器表示装置１は、メータケース２と、回路基板３と、反射体４と、ボビン装置５と、導光体６と、第１文字板部７と、第２文字板部８と、メータ針９と、化粧板１０と、保護カバー１１とを備えている。
【００１４】
メータケース２は、合成樹脂によって形成された凹部形状を呈しており、計器表示装置１の背面部分を構成している。メータケース２内には、警告表示ランプの点消灯等を行う回路基板３が収納されており、この回路基板３には、第１文字板部７及び第２文字板部８に示される目盛（スケール）や文字等の車両情報を照明するためのＬＥＤ（発光ダイオード）１２も設置されている。回路基板３の前面には、ＬＥＤ１２の照明光を第１文字板部７及び第２文字板部８に反射するための反射凹所１４を備えた反射体４が設置されている。
【００１５】
反射体４の導光凹所１４の中央部には、メータ針９を駆動させるためのボビン装置５が設置されており、ボビン装置５は、車速やエンジン回転数等に応じてメータ針９を回転させる役割を有している。導光体６は、ＬＥＤ１２の照明光を文字板部７，８及び指針に導光するための透明な合成樹脂で形成されており、この導光体６を透過した照明光が、第１文字板部７又は第２文字板部８の背面に照射される。
【００１６】
第１文字板部７及び第２文字板部８は、第２文字板部８の前面に第１文字板部７が配設されるようにして設置されている。第１文字板部７及び第２文字板部８は、背面より照射されたＬＥＤ１２照明光を透過させる構造となっており、この透過光によって文字板部に記載されるメータ情報が透過表示される。第１文字板部７と第２文字板部８については後述する。
【００１７】
第２文字板部８の前面には、ボビン装置５の回動軸端部に取り付けられるメータ針９が配設されており、このメータ針９の前面には、正面から見て文字板の円盤形状を美しく視認させるための化粧板１０が設けられている。化粧板１０には、文字板のスケール記載部分に対応して円形の視認用開口１０ａが設けられている。化粧板１０の前面には、透明な合成樹脂で形成される保護カバー１１が設けられている。
【００１８】
図２は、計器表示装置１を示した正面図である。計器表示装置１は、円盤状の３つの表示部２０、２１、２２と、方向指示ランプ、シートベルト警告ランプ等が配設される警告灯表示部２３、２４とを備えている。左側に配設された表示部２０はエンジンの回転数を示すタコメータ用の表示部であり、中央に配設された表示部２１はスピードメータ用の表示部である。また、右側に配設された表示部２２は、冷却水の水温と燃料の残量とを示した表示部である。運転者は、化粧板１０の視認用開口１０ａを介して視認された第１文字板部７又は第２文字板部８を各表示部２０、２１、２２として認識し、この表示部においてメータ針が差し示す目盛の値を読み取って運転情報を取得する。
【００１９】
図３（ａ）（ｂ）、図４（ａ）（ｂ）は、第１文字板部７と第２文字板部８との構成を示したものであり、第１文字板部７と第２文字盤部８とは、等間隔に分割された複数の横長短冊状の文字板片３０、３１とで構成されている。文字板片３０、３１は、板片回転機構３２により保持されており、板片回転機構３２によって設置角度の変更が行われる。また、図５に示すように、板片回転機構３２を回転させるための回転駆動部３３と、この回転駆動部３３に対する回転駆動制御を行う制御部３４とが設けられている。
【００２０】
第１文字板部７の文字板片（以下、第１文字板片とする。）３０は、板片回転機構３２の保持部３２ａにより上下方向に配列設置されており、各文字板部３０が板片回転機構３２により回転されると、図４（ｂ）に示すように、文字板片３０の上端部３０ａが一段上に配設される文字板片の下端部に当接し、文字板片３０の下端部３０ｂが一段下に配設される文字板片の上端部に当接してプレート状態（直立状態）となる。図３（ｂ）に示すように、第２文字板部８の文字板片（以下、第２文字板片とする。）３１も同様の構造となっている。
【００２１】
第１文字板片３０と第２文字板片３１との回転動作は互いに連動して行われており、第１文字板片３０が上下に位置する文字板片の端部に当接してプレート状となった場合には、図４（ｂ）に示すように、第２文字板片３１が、各文字板片とほぼ水平な状態（水平状態）を保つようにして回転され、図３（ｂ）に示すように、第２文字板片３１がプレート状となった場合には、第１文字板片３０は各文字板片がほぼ水平な状態を保つようにして回転される。
【００２２】
この文字板片３０、３１の回動は、文字板片３０、３１を保持する板片回転機構３２を、回転駆動部３３が駆動することによって行われる。回転駆動部３３の動作は、制御部３４の制御に応じて行われる。
【００２３】
制御部３４は、図５に示すように、計器表示装置１に第１文字板部７の内容を表示させるか、第２文字板部８の内容を表示させるかを選択するために設けられた切換スイッチ３５から情報を受信し、受信した情報に基づいて回転駆動部３３を駆動させて、第１文字板片３０又は第２文字板片３１をプレート状にすると共に、ボビン装置５に対して第１文字板部７のスケール種別に該当するメータ針９の情報又は第２文字板部８のスケール種別に該当するメータ針９の情報を伝達し、ボビン装置５におけるメータ針９の駆動状態を変更させる。
【００２４】
このような文字板部７、８の開閉により、第２文字板部８の文字板片３１がプレート状になった場合には、第２文字板片３１が第１文字板部７を覆い隠すため、運転席側から第１文字板部７が視認不可能な状態となる。このとき、図３（ｂ）に示すように、第１文字板片３０を運転者の視線とほぼ平行となるように回転させることによって、導光体６を透過するＬＥＤ１２の照射光が第１文字板片３０に遮られることなく第２文字板片３１に照射されるので、第２文字板部８に十分な照明光を照射させることが可能となる。
【００２５】
また、図４（ｂ）に示すように、第１文字板片３０をプレート状にし、さらに第２文字板片３１を運転者の視線と平行になるように回転させることによって、運転席側より第２文字板片３１が見え難くなり、第１文字板部７だけを視認することが可能となる。
【００２６】
このように、第１文字板部７と第２文字板部８との設置角度を変更することによって、単一の板状体からなる通常の文字板部に較べて倍の情報量を計器表示装置に表示させることが可能となる。さらに第１文字板片３０と第２文字板片３１との切り換えを連動させて、一方の文字板片がプレート状になった場合に、他方の文字板部を水平にすることによってＬＥＤ１２の照射光を確実にプレート状となった文字板片に照射させることができる。
【００２７】
また、第２文字板部８を、図６（ａ）に示すように昼間専用の計器表示板とし、第１文字板７を、図６（ｂ）に示すように夜間専用の計器表示板として使い分けることによって、図６、７に示すように、第１文字板部７で表示される内容が、フロントウィンドガラス３７面に映り込むことを第２文字板片３１で防止することができる。このため、庇部３８をインストゥルメントパネルの上部に設ける必要がなくなり、インストゥルメントパネルのデザイン自由度が向上すると共に、ステアリングとインストゥルメントパネル又は計器表示装置との設置位置、設置間隔等のレイアウトの自由度を高めることが可能となる。
【００２８】
以上、本発明に係る計器表示装置１について図面を用いて説明したが、本発明に係る計器表示装置は上述のものに限定されるものではない。例えば、本実施例において、文字板部を２つ設置した場合について説明を行ったが、文字板部は必ずしも２つである必要はなく、３以上設置してもよい。
【図面の簡単な説明】
【００２９】
【図１】本発明に係る計器表示装置を示した展開斜視図である。
【図２】本発明に係る計器表示装置を示した正面図である。
【図３】第１文字板部と第２文字板部との構成を示した第１の図であり、（ａ）は斜視図を示し、（ｂ）は側面図を示したものである。
【図４】第１文字板部と第２文字板部との構成を示した第２の図であり、（ａ）は斜視図を示し、（ｂ）は側面図を示したものである。
【図５】本発明に係る計器表示装置の構成を示したブロック図である。
【図６】本発明に係る第１文字板部と第２文字板部との構成を示した側面図であり、（ａ）は昼間の状態を示し、（ｂ）は夜間の状態を示したものである。
【図７】第２文字板片によって第１文字板部で表示される内容がフロントウィンドガラスに映り込むことを防止した状態を示した図である。
【符号の説明】
【００３０】
１  計器表示装置
２  メータケース
３  回路基板
４  反射対
５  ボビン装置
６  導光体
７  第１文字板部（板状表示部）
８  第２文字板部（板状表示部）
９  メータ針
１０  化粧板
１１  保護カバー
３０  第１文字板片（文字板片）
３１  第２文字板片（文字板片）
３２  板片回転機構（設置角度変更手段）
３３  回転駆動部（設置角度変更手段）
３４  制御部
３５  切換スイッチ
【図１】
2005164343.tif 000003
【図２】
2005164343.tif 000004
【図３】
2005164343.tif 000005
【図４】
2005164343.tif 000006
【図５】
2005164343.tif 000007
【図６】
2005164343.tif 000008
【図７】
2005164343.tif 000009